(57)【要約】      （修正有）【課題】複数の表示パネルを重ね合わせて構成された表示装置において、表示画像の端部の表示異常を防ぐ。【解決手段】複数の表示パネルが重ね合わされて配置され、それぞれの前記表示パネルに画像を表示する表示装置であって、観察者に近い位置に配置された第１表示パネルと、第１表示パネル１００より観察者から遠い位置に配置された第２表示パネル２００と、を備え、第１表示パネル１００は、第１画像表示領域１１０ａと、第１画像表示領域１１０ａの周辺に配置された第１額縁領域１１０ｂとを有し、第２表示パネル２００は、第２画像表示領域２１０ａと、第２画像表示領域２１０ａの周辺に配置された第２額縁領域と２１０ｂを有し、第１額縁領域１１０ｂの額縁の幅は、第２額縁領域２１０ｂの額縁の幅よりも大きい。【選択図】図７
2020154319.tif 000002
【特許請求の範囲】
【請求項１】
複数の表示パネルが重ね合わされて配置され、それぞれの前記表示パネルに画像を表示する表示装置であって、
観察者に近い位置に配置された第１表示パネルと、
前記第１表示パネルより観察者から遠い位置に配置された第２表示パネルと、を備え、
前記第１表示パネルは、第１画像表示領域と、前記第１画像表示領域の周辺に配置された第１額縁領域とを有し、
前記第２表示パネルは、第２画像表示領域と、前記第２画像表示領域の周辺に配置された第２額縁領域とを有し、
前記第１額縁領域の額縁の幅は、前記第２額縁領域の額縁の幅よりも大きい、
ことを特徴とする表示装置。
【請求項２】
平面的に見て、前記第１表示パネルの大きさは、前記第２表示パネルの大きさと同じである、
ことを特徴とする請求項１に記載の表示装置。
【請求項３】
平面的に見て、前記第２画像表示領域の外周部は、前記第１画像表示領域の外周部より外側に位置している、
ことを特徴とする請求項１に記載の表示装置。
【請求項４】
前記第２画像表示領域は、前記第１画像表示領域より大きく、
前記第２画像表示領域は、平面的に見て前記第１画像表示領域に対向する対向表示領域と、平面的に見て前記第１額縁領域に対向する拡張表示領域とを含む、
ことを特徴とする請求項１に記載の表示装置。
【請求項５】
前記拡張表示領域の幅は、前記第１表示パネルを構成する、前記第２表示パネル側のガラス基板における観察者側の面から、前記第２表示パネルを構成する、前記第１表示パネル側のガラス基板における観察者側とは反対側の面までの距離と、前記各ガラス基板の屈折率とに基づいて設定される、
ことを特徴とする請求項４に記載の表示装置。
【請求項６】
前記拡張表示領域の幅をｔ１とし、前記第１表示パネルを構成する、前記第２表示パネル側のガラス基板の屈折率をｎ１とし、前記第２表示パネルを構成する、前記第１表示パネル側のガラス基板の屈折率をｎ２とし、前記第１表示パネルを構成する、前記第２表示パネル側のガラス基板における観察者側の面から、前記第２表示パネルを構成する、前記第１表示パネル側のガラス基板における観察者側とは反対側の面までの距離をｄとした場合、
【数１】
2020154319.tif 000010
を満たす（ただし、ｎ＝（ｎ１＋ｎ２）／２とする。）、
ことを特徴とする請求項４に記載の表示装置。
【請求項７】
入力映像信号に基づいて、前記第１表示パネルの前記第１画像表示領域にカラー画像を表示するための第１画像データと、前記第２表示パネルの前記第２画像表示領域に白黒画像を表示するための第２画像データとを生成する画像処理部をさらに含む、
ことを特徴とする請求項１に記載の表示装置。
【請求項８】
前記第２画像表示領域は、前記第１画像表示領域より大きく、
前記第２表示パネルの前記第２画像表示領域は、平面的に見て前記第１表示パネルの前記第１画像表示領域に対向する対向表示領域と、前記第１パネルの前記第１額縁領域に対向する拡張表示領域とを含み、
前記画像処理部は、前記入力映像信号に基づいて前記対向表示領域用の画像データを生成するとともに、前記対向表示領域用の画像データに基づいて前記拡張表示領域用の画像データを生成することによって、前記第２画像データを生成する、
ことを特徴とする請求項７に記載の表示装置。
【請求項９】
前記第２画像表示領域は、前記第１画像表示領域より大きく、
前記第２表示パネルの前記第２画像表示領域は、平面的に見て前記第１表示パネルの前記第１画像表示領域に対向する対向表示領域と、前記第１パネルの前記第１額縁領域に対向する拡張表示領域とを含み、
前記第２表示パネルの前記第２画像表示領域には、駆動回路から画像表示用の信号が供給される複数の信号線が配置されており、
前記拡張表示領域では、前記駆動回路における１つの出力端子に複数の前記信号線が電気的に接続されている、
ことを特徴とする請求項１に記載の表示装置。
【請求項１０】
前記１つの出力端子に電気的に接続される前記信号線の本数は、前記出力端子の位置が前記対向表示領域に近い程、少ない、
ことを特徴とする請求項９に記載の表示装置。
【請求項１１】
前記拡張表示領域では、前記１つの出力端子に電気的に接続された複数の前記信号線には、前記画像表示用の信号が同時に供給される、
ことを特徴とする請求項９に記載の表示装置。
【請求項１２】
平面的に見て、前記拡張表示領域に配置される複数の画素は、前記第１表示パネルの前記第１額縁領域に形成されるブラックマトリクスに重なっている、
ことを特徴とする請求項４に記載の表示装置。
【請求項１３】
前記第２画像表示領域は、前記第１画像表示領域より大きく、
前記第２表示パネルの前記第２画像表示領域は、平面的に見て前記第１表示パネルの前記第１画像表示領域に対向する対向表示領域と、前記第１額縁領域に対向する拡張表示領域とを含み、
前記拡張表示領域に配置される複数の画素のうち一部の画素は、前記対向表示領域に配置される画素よりも大きい、
ことを特徴とする請求項１に記載の表示装置。
【請求項１４】
複数の表示パネルが重ね合わされて配置され、それぞれの前記表示パネルに画像を表示する表示装置であって、
観察者に近い位置に配置された第１表示パネルと、前記第１表示パネルより観察者から遠い位置に配置された第２表示パネルにおいて、前記第２表示パネルの画像表示領域は、
前記第１表示パネルの画像表示領域より大きく、
前記第２表示パネルの画像表示領域は、平面的に見て前記第１表示パネルの画像表示領域に対向する対向表示領域と、前記対向表示領域の周囲の拡張表示領域とを含み、
前記拡張表示領域の幅は、前記第１表示パネルを構成する、前記第２表示パネル側のガラス基板における観察者側の面から、前記第２表示パネルを構成する、前記第１表示パネル側のガラス基板における観察者側とは反対側の面までの距離と、前記各ガラス基板の屈折率とに基づいて設定される、
ことを特徴とする表示装置。
【請求項１５】
複数の表示パネルが重ね合わされて配置され、それぞれの前記表示パネルに画像を表示する表示装置であって、
観察者に近い位置に配置された第１表示パネルと、前記第１表示パネルより観察者から遠い位置に配置された第２表示パネルにおいて、前記第２表示パネルの画像表示領域は、前記第１表示パネルの画像表示領域より大きく、
前記第２表示パネルの画像表示領域は、平面的に見て前記第１表示パネルの画像表示領域に対向する対向表示領域と、前記対向表示領域の周囲の拡張表示領域とを含み、
前記拡張表示領域の幅をｔ１とし、前記第１表示パネルを構成する前記第２表示パネル側のガラス基板の屈折率をｎ１とし、前記第２表示パネルを構成する前記第１表示パネル側のガラス基板の屈折率をｎ２とし、前記第１表示パネルを構成する前記第２表示パネル側のガラス基板における観察者側の面から、前記第２表示パネルを構成する前記第１表示パネル側のガラス基板における観察者側とは反対側の面までの距離をｄとした場合、
【数２】
2020154319.tif 000011
を満たす（ただし、ｎ＝（ｎ１＋ｎ２）／２とする。）、
ことを特徴とする表示装置。
【発明の詳細な説明】
【技術分野】
【０００１】
本発明は、表示装置に関する。
【背景技術】
【０００２】
従来、液晶表示装置のコントラストを向上させる技術として、２枚の表示パネルを重ね合わせて、入力映像信号に基づいて、それぞれの表示パネルに画像を表示させる技術が提案されている（例えば特許文献１参照）。具体的には例えば、前後に配置された２枚の表示パネルのうち前側（観察者側）の表示パネルにカラー画像を表示し、後側（バックライト側）の表示パネルに白黒画像を表示することにより、コントラストの向上を図るものである。
【先行技術文献】
【特許文献】
【０００３】
【特許文献１】特開２００７−３１０１６１号公報
【発明の概要】
【発明が解決しようとする課題】
【０００４】
しかし、上記従来の液晶表示装置では、例えば前後に配置された２枚の表示パネルにおいて、表示画面の端部を斜め方向から見た場合に、後側に配置された表示パネルの非表示領域の影響により、表示画像の端部が正常に表示されないという問題が生じる。具体的には、表示画像の端部が暗くなり、本来の表示画像の端部が欠けた状態に見えてしまう。
【０００５】
本発明は、上記実情に鑑みてなされたものであり、その目的は、複数の表示パネルを重ね合わせて構成された表示装置において、表示画像の端部の表示異常を防ぐことにある。
【課題を解決するための手段】
【０００６】
上記課題を解決するために、本発明に係る表示装置は、複数の表示パネルが重ね合わされて配置され、それぞれの前記表示パネルに画像を表示する表示装置であって、観察者に近い位置に配置された第１表示パネルと、前記第１表示パネルより観察者から遠い位置に配置された第２表示パネルと、を備え、前記第１表示パネルは、第１画像表示領域と、前記第１画像表示領域の周辺に配置された第１額縁領域とを有し、前記第２表示パネルは、第２画像表示領域と、前記第２画像表示領域の周辺に配置された第２額縁領域とを有し、前記第１額縁領域の額縁の幅は、前記第２額縁領域の額縁の幅よりも大きい、ことを特徴とする。
【０００７】
本発明に係る表示装置では、平面的に見て、前記第２表示パネルの画像表示領域の外周部は、前記第１表示パネルの画像表示領域の外周部より外側に位置していてもよい。
【０００８】
本発明に係る表示装置では、前記複数の表示パネルそれぞれの画像表示領域は、該表示パネルが配置される位置が観察者から遠い程大きくてもよい。
【０００９】
本発明に係る表示装置では、前記第２表示パネルの画像表示領域は、平面的に見て前記第１表示パネルの画像表示領域に対向する対向表示領域と、前記対向表示領域の周囲の拡張表示領域とを含み、前記第２表示パネルは、前記拡張表示領域に、前記対向表示領域の端部に表示する画像と同じ画像を表示してもよい。
【００１０】
本発明に係る表示装置では、前記拡張表示領域の幅は、前記第１表示パネルを構成する、前記第２表示パネル側のガラス基板における観察者側の面から、前記第２表示パネルを構成する、前記第１表示パネル側のガラス基板における観察者側とは反対側の面までの距離と、前記各ガラス基板の屈折率とに基づいて設定されてもよい。
【００１１】
本発明に係る表示装置では、前記拡張表示領域の幅をｔ１とし、前記第１表示パネルを構成する、前記第２表示パネル側のガラス基板の屈折率をｎ１とし、前記第２表示パネルを構成する、前記第１表示パネル側のガラス基板の屈折率をｎ２とし、前記第１表示パネルを構成する、前記第２表示パネル側のガラス基板における観察者側の面から、前記第２表示パネルを構成する、前記第１表示パネル側のガラス基板における観察者側とは反対側の面までの距離をｄとした場合、
【数１】
2020154319.tif 000003
を満たしてもよい（ただし、ｎ＝（ｎ１＋ｎ２）／２とする。）。
【００１２】
本発明に係る表示装置では、入力映像信号に基づいて、前記第１表示パネルの画像表示領域にカラー画像を表示するための第１画像データと、前記第２表示パネルの画像表示領域に白黒画像を表示するための第２画像データとを生成する画像処理部をさらに含んでもよい。
【００１３】
本発明に係る表示装置では、前記第２表示パネルの画像表示領域は、平面的に見て前記第１表示パネルの画像表示領域に対向する対向表示領域と、前記対向表示領域の周囲の拡張表示領域とを含み、前記画像処理部は、前記入力映像信号に基づいて前記対向表示領域用の画像データを生成するとともに、前記対向表示領域用の画像データに基づいて前記拡張表示領域用の画像データを生成することによって、前記第２画像データを生成してもよい。
【００１４】
本発明に係る表示装置では、前記第２表示パネルの画像表示領域は、平面的に見て前記
第１表示パネルの画像表示領域に対向する対向表示領域と、前記対向表示領域の周囲の拡張表示領域とを含み、前記第２表示パネルの画像表示領域には、駆動回路から画像表示用の信号が供給される複数の信号線が配置されており、前記拡張表示領域では、前記駆動回路における１つの出力端子に複数の前記信号線が電気的に接続されていてもよい。
【００１５】
本発明に係る表示装置では、前記１つの出力端子に電気的に接続される前記信号線の本数は、前記出力端子の位置が前記対向表示領域に近い程、少なくてもよい。
【００１６】
本発明に係る表示装置では、前記拡張表示領域では、前記１つの出力端子に電気的に接続された複数の前記信号線には、前記画像表示用の信号が同時に供給されてもよい。
【００１７】
本発明に係る表示装置では、平面的に見て、前記拡張表示領域に配置される複数の画素は、前記第１表示パネルの画像表示領域の周囲に形成されるブラックマトリクスに重なっていてもよい。
【００１８】
本発明に係る表示装置では、前記第２表示パネルの画像表示領域は、平面的に見て前記第１表示パネルの画像表示領域に対向する対向表示領域と、前記対向表示領域の周囲の拡張表示領域とを含み、前記拡張表示領域に配置される複数の画素のうち一部の画素は、前記対向表示領域に配置される画素よりも大きくてもよい。
【００１９】
また、本発明に係る表示装置の他の態様は、複数の表示パネルが重ね合わされて配置され、それぞれの前記表示パネルに画像を表示する表示装置であって、観察者に近い位置に配置された第１表示パネルと、前記第１表示パネルより観察者から遠い位置に配置された第２表示パネルにおいて、前記第２表示パネルの画像表示領域は、前記第１表示パネルの画像表示領域より大きく、前記第２表示パネルの画像表示領域は、平面的に見て前記第１表示パネルの画像表示領域に対向する対向表示領域と、前記対向表示領域の周囲の拡張表示領域とを含み、前記拡張表示領域の幅は、前記第１表示パネルを構成する、前記第２表示パネル側のガラス基板における観察者側の面から、前記第２表示パネルを構成する、前記第１表示パネル側のガラス基板における観察者側とは反対側の面までの距離と、前記各ガラス基板の屈折率とに基づいて設定される、ことを特徴とする。
【００２０】
また、本発明に係る表示装置のさらに別の態様は、複数の表示パネルが重ね合わされて配置され、それぞれの前記表示パネルに画像を表示する表示装置であって、観察者に近い位置に配置された第１表示パネルと、前記第１表示パネルより観察者から遠い位置に配置された第２表示パネルにおいて、前記第２表示パネルの画像表示領域は、前記第１表示パネルの画像表示領域より大きく、前記第２表示パネルの画像表示領域は、平面的に見て前記第１表示パネルの画像表示領域に対向する対向表示領域と、前記対向表示領域の周囲の拡張表示領域とを含み、前記拡張表示領域の幅をｔ１とし、前記第１表示パネルを構成する前記第２表示パネル側のガラス基板の屈折率をｎ１とし、前記第２表示パネルを構成する前記第１表示パネル側のガラス基板の屈折率をｎ２とし、前記第１表示パネルを構成する前記第２表示パネル側のガラス基板における観察者側の面から、前記第２表示パネルを構成する前記第１表示パネル側のガラス基板における観察者側とは反対側の面までの距離をｄとした場合、
【数２】
2020154319.tif 000004
を満たす（ただし、ｎ＝（ｎ１＋ｎ２）／２とする。）、ことを特徴とする。
【発明の効果】
【００２１】
本発明に係る表示装置によれば、複数の表示パネルを重ね合わせて構成された表示装置において、表示画像の端部の表示異常を防ぐことができる。
【図面の簡単な説明】
【００２２】
【図１】本実施形態に係る液晶表示装置の概略構成を示す平面図である。
【図２】本実施形態に係る第１表示パネルの概略構成を示す平面図である。
【図３】本実施形態に係る第２表示パネルの概略構成を示す平面図である。
【図４】図４は、図２及び図３のＡ−Ａ’断面図である。
【図５】従来の液晶表示装置を模式的に示す断面図である。
【図６】（ａ）は本実施形態に係る液晶表示装置における特徴的構成の概略を示す平面図であり、（ｂ）は（ａ）のＢ−Ｂ’断面図である。
【図７】図６（ｂ）の左端部を拡大した図である。
【図８】上記第１表示パネルの第１画像表示領域の一部を示す平面図である。
【図９】上記第２表示パネルの第２画像表示領域の一部を示す平面図である。
【図１０】図８に示す第１表示パネルの各画素に対応する画素情報を示す図である。
【図１１】図９に示す第２表示パネルの各画素に対応する画素情報を示す図である。
【図１２】上記第２表示パネルの拡張表示領域を規定する方法を説明するための図である。
【図１３】パネル間距離と屈折率とに基づき拡張表示領域の幅を決定する方法の一例を説明するための図である。
【図１４】上記第１表示パネルのゲート線を駆動するタイミングと、上記第２表示パネルのゲート線を駆動するタイミングとを示すタイミングチャートである。
【図１５】変形例１に係る第２表示パネルの構成を示す平面図である。
【図１６】変形例１に係る第２表示パネルの各画素に対応する画素情報を示す図である。
【図１７】変形例２に係る第２表示パネルの構成を示す平面図である。
【図１８】変形例３に係る第２表示パネルの構成を示す平面図である。
【図１９】変形例３に係る第２表示パネルの各画素に対応する画素情報を示す図である。
【図２０】本実施形態に係る画像処理部の具体的な構成を示すブロック図である。
【発明を実施するための形態】
【００２３】
本発明の実施形態について、図面を用いて以下に説明する。以下の実施形態では、液晶表示装置を例に挙げるが、本発明に係る表示装置は、液晶表示装置に限定されるものではなく、例えば有機ＥＬ表示装置等であってもよい。
【００２４】
本実施形態に係る液晶表示装置は、画像を表示する複数の表示パネルと、それぞれの表示パネルを駆動する複数の駆動回路（複数のソースドライバ、複数のゲートドライバ）と、それぞれの駆動回路を制御する複数のタイミングコントローラと、外部から入力される入力映像信号に対して画像処理を行い、それぞれのタイミングコントローラに画像データを出力する画像処理部と、複数の表示パネルに背面側から光を照射するバックライトと、を含んでいる。表示パネルの数は限定されず２枚以上であればよい。また複数の表示パネルは、観察者側から見て前後方向に互いに重ね合わされて配置されており、それぞれが画像を表示する。以下では、２枚の表示パネルを備える液晶表示装置１０を例に挙げて説明する。
【００２５】
図１は、本実施形態に係る液晶表示装置１０の概略構成を示す平面図である。図１に示すように、液晶表示装置１０は、観察者に近い位置（前側）に配置された第１表示パネル１００と、第１表示パネル１００より観察者から遠い位置（後側）に配置された第２表示パネル２００と、第１表示パネル１００に設けられた第１ソースドライバ１２０及び第１ゲートドライバ１３０を制御する第１タイミングコントローラ１４０と、第２表示パネル２００に設けられた第２ソースドライバ２２０及び第２ゲートドライバ２３０を制御する第２タイミングコントローラ２４０と、第１タイミングコントローラ１４０及び第２タイミングコントローラ２４０に画像データを出力する画像処理部３００と、を含んでいる。第１表示パネル１００は入力映像信号に応じたカラー画像を表示し、第２表示パネル２００は入力映像信号に応じた白黒画像（モノクロ画像）を表示する。画像処理部３００は、外部のシステム（図示せず）から送信された入力映像信号Ｄａｔａを受信し、後述する画像処理を実行した後、第１タイミングコントローラ１４０に第１画像データＤＡＴ１を出力し、第２タイミングコントローラ２４０に第２画像データＤＡＴ２を出力する。また画像処理部３００は、第１タイミングコントローラ１４０及び第２タイミングコントローラ２４０に同期信号等の制御信号（図１では省略）を出力する。第１画像データＤＡＴ１はカラー表示用の画像データであり、第２画像データＤＡＴ２は白黒表示用の画像データである。バックライト（図１では省略）は、第２表示パネル２００の背面側に配置されている。画像処理部３００の具体的な構成は後述する。
【００２６】
図２は第１表示パネル１００の概略構成を示す平面図であり、図３は第２表示パネル２００の概略構成を示す平面図である。図４は、図２及び図３のＡ−Ａ’断面図である。
【００２７】
図２及び図４を用いて、第１表示パネル１００の構成について説明する。図４に示すように、第１表示パネル１００は、バックライト４００側に配置された薄膜トランジスタ基板１０１（以下、ＴＦＴ基板という。）と、観察者側に配置され、ＴＦＴ基板１０１に対向するカラーフィルタ基板１０２（以下、ＣＦ基板という。）と、ＴＦＴ基板１０１及びＣＦ基板１０２の間に配置された液晶層１０３と、を含んでいる。第１表示パネル１００のバックライト４００側には偏光板１０４が配置されており、観察者側には偏光板１０５が配置されている。
【００２８】
ＴＦＴ基板１０１には、図２に示すように、第１方向（例えば列方向）に延在する複数のデータ線１１１と、第１方向とは異なる第２方向（例えば行方向）に延在する複数のゲート線１１２とが形成され、複数のデータ線１１１と複数のゲート線１１２とのそれぞれの交差部近傍に薄膜トランジスタ１１３（以下、ＴＦＴという。）が形成されている。第１表示パネル１００を平面的に見て、隣り合う２本のデータ線１１１と隣り合う２本のゲ
ート線１１２とにより囲まれる領域が１つの画素１１４として規定され、該画素１１４がマトリクス状（行方向及び列方向）に複数配置されている。複数のデータ線１１１は、行方向に等間隔で配置されており、複数のゲート線１１２は、列方向に等間隔で配置されている。ＴＦＴ基板１０１には、画素１１４ごとに画素電極１１５が形成されており、複数の画素１１４に共通する１つの共通電極（図示せず）が形成されている。ＴＦＴ１１３を構成するドレイン電極はデータ線１１１に電気的に接続され、ソース電極は画素電極１１５に電気的に接続され、ゲート電極はゲート線１１２に電気的に接続されている。
【００２９】
図４に示すように、ＣＦ基板１０２には、各画素１１４に対応して複数の着色部１０２ａが形成されている。各着色部１０２ａは、光の透過を遮断するブラックマトリクス１０２ｂで囲まれており、例えば矩形状に形成されている。また、複数の着色部１０２ａは、赤色（Ｒ色）の材料で形成され、赤色の光を透過する赤色部と、緑色（Ｇ色）の材料で形成され、緑色の光を透過する緑色部と、青色（Ｂ色）の材料で形成され、青色の光を透過する青色部と、を含んでいる。赤色部、緑色部、及び青色部は、行方向にこの順に繰り返し配列され、同一色の着色部が列方向に配列され、行方向及び列方向に隣り合う着色部１０２ａの境界部分にブラックマトリクス１０２ｂが形成されている。各着色部１０２ａに対応して、複数の画素１１４は、図２に示すように、赤色部に対応する赤色画素１１４Ｒと、緑色部に対応する緑色画素１１４Ｇと、青色部に対応する青色画素１１４Ｂと、を含んでいる。
【００３０】
ブラックマトリクス１０２ｂは、行方向に隣り合う各々に対応する２つの着色部１０２ａの境界部分に配置された複数の第１遮光ストライプＢ１（図４参照）と、列方向に隣り合う各々に対応する２つの着色部１０２ａの境界部分に配置された複数の第２遮光ストライプ（不図示）と、を含んでいる。複数の第１遮光ストライプＢ１及び複数の第２遮光ストライプは、後述する第１画像表示領域１１０ａに配置されている。さらに、ブラックマトリクス１０２ｂは、第１非表示領域１１０ｂに配置された遮光枠Ｂ２（図４参照）を含んでいる。遮光枠Ｂ２は、複数の第１遮光ストライプＢ１及び複数の第２遮光ストライプの周りを取り囲み、各第１遮光ストライプＢ１及び各第２遮光ストライプの端部に接続している。
【００３１】
第１タイミングコントローラ１４０は、周知の構成を備えている。例えば第１タイミングコントローラ１４０は、画像処理部３００から出力される第１画像データＤＡＴ１と第１制御信号ＣＳ１（クロック信号、垂直同期信号、水平同期信号等）とに基づいて、第１画像データＤＡ１と、第１ソースドライバ１２０及び第１ゲートドライバ１３０の駆動を制御するための各種タイミング信号（データスタートパルスＤＳＰ１、データクロックＤＣＫ１、ゲートスタートパルスＧＳＰ１、ゲートクロックＧＣＫ１）とを生成する（図２参照）。第１タイミングコントローラ１４０は、第１画像データＤＡ１と、データスタートパルスＤＳＰ１と、データクロックＤＣＫ１とを第１ソースドライバ１２０に出力し、ゲートスタートパルスＧＳＰ１とゲートクロックＧＣＫ１とを第１ゲートドライバ１３０に出力する。
【００３２】
第１ソースドライバ１２０は、データスタートパルスＤＳＰ１及びデータクロックＤＣＫ１に基づいて、第１画像データＤＡ１に応じたデータ信号（データ電圧）をデータ線１１１に出力する。第１ゲートドライバ１３０は、ゲートスタートパルスＧＳＰ１及びゲートクロックＧＣＫ１に基づいて、ゲート信号（ゲート電圧）をゲート線１１２に出力する。
【００３３】
各データ線１１１には、第１ソースドライバ１２０からデータ電圧が供給され、各ゲート線１１２には、第１ゲートドライバ１３０からゲート電圧が供給される。共通電極には、コモンドライバ（図示せず）から共通電圧Ｖｃｏｍが供給される。ゲート電圧（ゲート
オン電圧）がゲート線１１２に供給されると、ゲート線１１２に接続されたＴＦＴ１１３がオンし、ＴＦＴ１１３に接続されたデータ線１１１を介して、データ電圧が画素電極１１５に供給される。画素電極１１５に供給されたデータ電圧と、共通電極に供給された共通電圧Ｖｃｏｍとの差により電界が生じる。この電界により液晶を駆動して、第２表示パネル２００を通過したバックライト４００からの光の透過率を制御することによって画像表示を行う。第１表示パネル１００では、赤色画素１１４Ｒ、緑色画素１１４Ｇ、青色画素１１４Ｂそれぞれの画素電極１１５に接続されたデータ線１１１に、所望のデータ電圧を供給することにより、カラー画像表示が行われる。尚、第１表示パネル１００は、周知の構成を適用することができる。
【００３４】
次に、図３及び図４を用いて、第２表示パネル２００の構成について説明する。図４に示すように、第２表示パネル２００は、バックライト４００側に配置されたＴＦＴ基板２０１と、観察者側に配置され、ＴＦＴ基板２０１に対向するＣＦ基板２０２と、ＴＦＴ基板２０１及びＣＦ基板２０２の間に配置された液晶層２０３と、を含んでいる。第２表示パネル２００のバックライト４００側には偏光板２０４が配置されており、観察者側には偏光板２０５が配置されている。第１表示パネル１００の偏光板１０４と、第２表示パネル２００の偏光板２０５との間には、拡散シート３０１が配置されている。
【００３５】
ＴＦＴ基板２０１には、図３に示すように、列方向に延在する複数のデータ線２１１と、行方向に延在する複数のゲート線２１２とが形成され、複数のデータ線２１１と複数のゲート線２１２とのそれぞれの交差部近傍にＴＦＴ２１３が形成されている。第２表示パネル２００を平面的に見て、隣り合う２本のデータ線２１１と隣り合う２本のゲート線２１２とにより囲まれる領域が１つの画素２１４として規定され、該画素２１４がマトリクス状（行方向及び列方向）に複数配置されている。複数のデータ線２１１は、行方向に等間隔で配置されており、複数のゲート線２１２は、列方向に等間隔で配置されている。ＴＦＴ基板２０１には、画素２１４ごとに画素電極２１５が形成されており、複数の画素２１４に共通する１つの共通電極（図示せず）が形成されている。ＴＦＴ２１３を構成するドレイン電極はデータ線２１１に電気的に接続され、ソース電極は画素電極２１５に電気的に接続され、ゲート電極はゲート線２１２に電気的に接続されている。
【００３６】
図４に示すように、ＣＦ基板２０２には、各画素２１４の境界部分に対応する位置に、光の透過を遮断するブラックマトリクス２０２ｂが形成されている。ブラックマトリクス２０２ｂで囲まれた領域２０２ａには、着色部は形成されておらず、例えばオーバーコート膜が形成されている。
【００３７】
第２タイミングコントローラ２４０は、画像処理部３００から出力される第２画像データＤＡＴ２と第２制御信号ＣＳ２（クロック信号、垂直同期信号、水平同期信号等）とに基づいて、第２画像データＤＡ２と、第２ソースドライバ２２０及び第２ゲートドライバ２３０の駆動を制御するための各種タイミング信号（データスタートパルスＤＳＰ２、データクロックＤＣＫ２、ゲートスタートパルスＧＳＰ２、ゲートクロックＧＣＫ２）とを生成する（図３参照）。第２タイミングコントローラ２４０は、第２画像データＤＡ２と、データスタートパルスＤＳＰ２と、データクロックＤＣＫ２とを第２ソースドライバ２２０に出力し、ゲートスタートパルスＧＳＰ２とゲートクロックＧＣＫ２とを第２ゲートドライバ２３０に出力する。
【００３８】
第２ソースドライバ２２０は、データスタートパルスＤＳＰ２及びデータクロックＤＣＫ２に基づいて、第２画像データＤＡ２に応じたデータ電圧をデータ線２１１に出力する。第２ゲートドライバ２３０は、ゲートスタートパルスＧＳＰ２及びゲートクロックＧＣＫ２に基づいて、ゲート電圧をゲート線２１２に出力する。
【００３９】
各データ線２１１には、第２ソースドライバ２２０からデータ電圧が供給され、各ゲート線２１２には、第２ゲートドライバ２３０からゲート電圧が供給される。共通電極には、コモンドライバから共通電圧Ｖｃｏｍが供給される。ゲート電圧（ゲートオン電圧）がゲート線２１２に供給されると、ゲート線２１２に接続されたＴＦＴ２１３がオンし、ＴＦＴ２１３に接続されたデータ線２１１を介して、データ電圧が画素電極２１５に供給される。画素電極２１５に供給されたデータ電圧と、共通電極に供給された共通電圧Ｖｃｏｍとの差により電界が生じる。この電界により液晶を駆動してバックライト４００の光の透過率を制御することによって画像表示を行う。第２表示パネル２００では、白黒画像表示が行われる。
【００４０】
ここで、複数の表示パネルを重ね合わせて構成された従来の液晶表示装置では、上述した通り、表示画像の端部が暗くなるという問題が生じる。図５は、従来の液晶表示装置を模式的に示す断面図である。従来の液晶表示装置では、観察者側の表示パネル１０００の画像表示領域１１００ａと、バックライト側の表示パネル２０００の画像表示領域２１００ａとが、同じ大きさを有しており、平面的に見て端部の位置が一致している。尚、図５に示す構成では、画像表示領域１１００ａが液晶表示装置の表示画面となり、画像表示領域１１００ａの周囲の非表示領域１１００ｂが液晶表示装置の額縁部となる。図５に示す構成では、表示画面の端部を斜め方向（図５の点線矢印）から見た場合に、バックライト側の表示パネル２０００の非表示領域２１００ｂの一部が観察者側の表示パネル１０００の画像表示領域１１００ａに重なることにより、表示画面に表示される本来の表示画像の端部が暗く欠けた状態で見えてしまう。
【００４１】
これに対して、本実施形態に係る液晶表示装置１０は、表示画像の端部まで本来の画像を視認できる特徴的構成を有している。図６（ａ）は、液晶表示装置１０における上記特徴的構成の概略を示す平面図であり、図６（ｂ）は、図６（ａ）のＢ−Ｂ’断面図である。液晶表示装置１０では、バックライト側の第２表示パネル２００の第２画像表示領域２１０ａが、観察者側の第１表示パネル１００の第１画像表示領域１１０ａより大きく形成されており、第１表示パネル１００及び第２表示パネル２００は、平面的に見て第２画像表示領域２１０ａの端部（外周）が第１画像表示領域１１０ａを囲うように配置されている。またバックライト４００は、光の出射面が第１画像表示領域１１０ａ及び第２画像表示領域２１０ａよりも大きくなるように構成されている。尚、図６に示す構成では、第１画像表示領域１１０ａが液晶表示装置１０の表示画面となり、第１画像表示領域１１０ａの周囲の領域が液晶表示装置１０の額縁部となる。図７は、図６（ｂ）の左端部を拡大した図である。図７に示すように、第２表示パネル２００の第２画像表示領域２１０ａは、第１表示パネル１００の第１画像表示領域１１０ａを拡大した大きさを有している。第２画像表示領域２１０ａのうち、第１画像表示領域１１０ａに対して拡張された領域を拡張表示領域２１０ｃとする。液晶表示装置１０では、第２表示パネル２００の第２非表示領域２１０ｂが、第１表示パネル１００の第１非表示領域１１０ｂより小さく形成されている。液晶表示装置１０の構成によれば、表示画面の端部を斜め方向（図７の点線矢印）から見た場合に、第２表示パネル２００の第２非表示領域２１０ｂが第１表示パネル１００の第１画像表示領域１１０ａに重ならず、表示画像の端部が暗くなる（図５参照）ことを防ぐことができる。
【００４２】
また、液晶表示装置１０では、表示画面の端部を斜め方向から見たときに本来の表示画像を視認できるように、第２表示パネル２００は、例えば、拡張表示領域２１０ｃ（図７参照）に、第２画像表示領域２１０ａのうち第１画像表示領域１１０ａに対向する領域（以下、対向表示領域２１０ｄという。）における端部の画像と同じ画像を表示させる。すなわち、対向表示領域２１０ｄとは、平面視において第１画像表示領域１１０ａと重なる領域である。以下では、拡張表示領域２１０ｃに関する具体的な構成について説明する。
【００４３】
図８は、第１表示パネル１００の第１画像表示領域１１０ａの一部を示す平面図である。図９は、第２表示パネル２００の第２画像表示領域２１０ａの一部を示す平面図である。図８及び図９には、図６（ａ）に示す第２表示パネル２００の左上部分（点線丸囲み部）を拡大した構成を示している。図８において、「ＳＤ１−１」〜「ＳＤ１−６」は、第１ソースドライバ１２０の１番目から６番目の出力端子を示し、「ＧＤ１−１」〜「ＧＤ１−３」は、第１ゲートドライバ１３０の１番目から３番目の出力端子を示している。また、図９において、「ＳＤ２−１」〜「ＳＤ２−１６」は、第２ソースドライバ２２０の１番目から１６番目の出力端子を示し、「ＧＤ２−１」〜「ＧＤ２−１３」は、第２ゲートドライバ２３０の１番目から１３番目の出力端子を示している。
【００４４】
図８及び図９に示すように、第１表示パネル１００では、額縁部に対向する領域には画素１１４は配置されておらず、ブラックマトリクス１０２ｂ（図４参照）が形成されているのに対して、第２表示パネル２００では、額縁部に対向する領域（拡張表示領域２１０ｃ）に、複数の画素２１４が配置されている。このため、拡張表示領域２１０ｃに配置される複数の画素２１４は、平面的に見て、額縁部に対向するブラックマトリクス１０２ｂに重なるように配置されている。より詳細には、拡張表示領域２１０ｃに配置される複数の画素２１４は、平面的に見て、第１表示パネル１００の額縁部に配置された遮光枠Ｂ２に重なるように配置されている。図９に示す例では、平面的に見てブラックマトリクス１０２ｂに重なるように、拡張表示領域２１０ｃにおいて、画素２１４が行方向に１０個、列方向に１０個配置されている。尚、平面的に見て、第１表示パネル１００及び第２表示パネル２００を、それぞれの行方向及び列方向の中心位置が一致するように重ね合わせた場合は、拡張表示領域２１０ｃにおいて画素２１４が、第１画像表示領域１１０ａの周囲に１０個ずつ配置されることになる。
【００４５】
図１０は、図８に示す第１表示パネル１００の各画素１１４に対応する画素情報を示す図である。画素情報は、例えば、各画素１１４に表示される画像の階調を示す情報を含んでいる。図１０に示す例では、例えば、左上端部の画素（赤色画素１１４Ｒ）には「Ｒ１１」の階調に応じた画像が表示され、その右隣の画素（緑色画素１１４Ｇ）には「Ｇ１２」の階調に応じた画像が表示される。これにより、第１表示パネル１００の第１画像表示領域１１０ａには、入力映像信号Ｄａｔａに応じたカラー画像が表示される。
【００４６】
図１１は、図９に示す第２表示パネル２００の各画素２１４に対応する画素情報を示す図である。第２表示パネル２００の第２画像表示領域２１０ａのうち対向表示領域２１０ｄにおいて、左上端部の画素２１４（図１１の太線囲み部）には「Ｃ１１」の階調に応じた画像が表示され、その右隣の画素２１４には「Ｃ１２」の階調に応じた画像が表示される。これにより、対向表示領域２１０ｄには、入力映像信号Ｄａｔａに応じた白黒画像が表示される。
【００４７】
また、第２表示パネル２００の第２画像表示領域２１０ａのうち拡張表示領域２１０ｃには、対向表示領域２１０ｄの端部の画素２１４に表示される画像と同じ画像が表示される。具体的には、拡張表示領域２１０ｃにおいて、第２画像表示領域２１０ａの１列目から１０列目かつ１行目から１０行目の領域に含まれる画素２１４には、対向表示領域２１０ｄの左上端部の画素２１４と同様に「Ｃ１１」の階調に応じた画像が表示され、１１列目の画素２１４には対向表示領域２１０ｄの上端部の画素２１４と同様に「Ｃ１１」の階調に応じた画像が表示され、このようにして、１２列目の画素２１４には「Ｃ１２」の階調に応じた画像が表示され、１３列目の画素２１４には「Ｃ１３」の階調に応じた画像が表示される。また拡張表示領域２１０ｃにおいて、１１行目の画素２１４には対向表示領域２１０ｄの上端部の画素２１４と同様に「Ｃ１１」の階調に応じた画像が表示され、このようにして、１２行目の画素２１４には「Ｃ２１」の階調に応じた画像が表示され、１３行目の画素２１４には「Ｃ３１」の階調に応じた画像が表示される。このように、表示画面を斜め方向から見た場合に（図７参照）、第２表示パネル２００の拡張表示領域２１０ｃが第１表示パネル１００の第１画像表示領域１１０ａに重なり、かつ、拡張表示領域２１０ｃに対向表示領域２１０ｄの端部と同じ画像が表示されるため、表示画面の端部においても入力映像信号に応じた画像を視認することができる。
【００４８】
上記の通り、液晶表示装置１０は、観察者に近い位置に配置された第１表示パネル１００と、第１表示パネル１００より観察者から遠い位置に配置された第２表示パネル２００において、第２表示パネル２００の第２画像表示領域２１０ａが、第１表示パネル１００の第１画像表示領域１１０ａより大きい構成を有している。第２画像表示領域２１０ａの大きさは、液晶表示装置１０の構造に応じて設定される。以下では、第１画像表示領域１００ａと第２画像表示領域２１０ａとの差（すなわち、拡張表示領域２１０ｃ）を規定する方法について説明する。
【００４９】
図１２は、拡張表示領域２１０ｃを規定する方法を説明するための図である。図１２（ａ）は、表示画面を垂直方向に対して６０度斜め方向から見た場合の様子を示す断面図である。図１２（ｂ）は、第１表示パネル１００と第２表示パネル２００との境界付近の断面構造を示す図である。例えば、拡張表示領域２１０ｃの幅ｔ１は、表示画面を６０度斜め方向から見た場合に、第２非表示領域２１０ｂが第１画像表示領域１１０ａに重ならない値に設定される。拡張表示領域２１０ｃの幅ｔ１は、主に、図１２（ｂ）に示すパネル間距離に依存する。パネル間距離は、具体的には、第１表示パネル１００を構成するガラス基板１０１ａ及び偏光板１０４の厚みと、第２表示パネル２００を構成するガラス基板２０２ｃ及び偏光板２０５の厚みと、第１表示パネル１００及び第２表示パネル２００の間に配置される拡散シート３０１の厚みとの合計により算出される。また、拡張表示領域２１０ｃの幅ｔ１は、ガラス基板１０１ａ，２０２ｃの屈折率の影響も受ける。よって、拡張表示領域２１０ｃの幅ｔ１は、上記パネル間距離とガラス基板１０１ａ，２０２ｃの屈折率とに基づいて設定される。例えば、拡張表示領域２１０ｃの幅ｔ１は、パネル間距離が大きい程、大きい値に設定され、ガラス基板１０１ａ，２０２ｃの屈折率が大きい程、小さい値に設定される。
【００５０】
上記パネル間距離と屈折率に基づき拡張表示領域２１０ｃの幅ｔ１が算出されると、拡張表示領域２１０ｃに配置する画素２１４の個数や大きさが決定される。このようにして、拡張表示領域２１０ｃの構造が規定される。
【００５１】
図１３は、パネル間距離と屈折率とに基づき拡張表示領域２１０ｃの幅ｔ１を決定する方法の一例を説明するための図である。図１３に示すように、第１表示パネル１００の表面への法線方向ｎｄに対して角度θ傾斜した方向から表示画面を観察した場合、第２表示パネル２００からの映像光は、液晶表示装置１０を構成する各層の屈折率に応じて屈折した後、観察者の目に角度θ傾斜した方向から向かう。ここで、図１３に示すように、第２表示パネル２００の画素２１４から第１画像表示領域１１０ａの端部に位置する画素１１４を通過し、観察者の目に角度θ傾斜した方向から入射する光Ｌ１に着目する。この光Ｌ１が、ＣＦ基板２０２のブラックマトリクス２０２ｂが形成された層の表面において、拡張表示領域２１０ｃと対向表示領域２１０ｄとの境界からずれる量を視差対策幅Ｘとすると、拡張表示領域２１０ｃの幅ｔ１が視差対策幅Ｘ以上である場合、観察者が角度θ傾斜した方向から表示画面を観察した場合であっても、端部の画像を所望の明るさで確認することができるようになる。
【００５２】
上述の通り、必要な視差対策幅Ｘを厳密に求めるためには、第１表示パネル１００のブラックマトリクス１０２ｂが配置された層と、第２表示パネル２００のブラックマトリクス２０２ｂが配置された層と、の間に位置する各層の屈折率及び厚みを考慮して計算する必要がある。しかしながら、これら各層の屈折率差はわずかであり、視差対策幅Ｘの決定
に大きく寄与するのは、厚みの大きい、第１表示パネル１００のＴＦＴ基板１０１を構成するガラス基板１０１ａ、及び、第２表示パネル２００のＣＦ基板２０２を構成するガラス基板２０２ｃである。そこで、第１表示パネル１００のブラックマトリクス１０２ｂが配置された層と、第２表示パネル２００のブラックマトリクス２０２ｂが配置された層と、の間に位置する各層を単一の層とみなし、この単一の層の屈折率ｎを、第１表示パネル１００のガラス基板１０１ａの屈折率ｎ１と、第２表示パネル２００のガラス基板２０２ｃの屈折率ｎ２との平均の値とみなす。すなわち、
単一の層の屈折率ｎ＝（屈折率ｎ１＋屈折率ｎ２）／２‥（１）
とする。
【００５３】
かかる仮定によれば、第１表示パネル１００のブラックマトリクス１０２ｂが配置された層と、第２表示パネル２００のブラックマトリクス２０２ｂが配置された層と、の間を単一の層とみなすことができるため、第１表示パネル１００のブラックマトリクス１０２ｂが配置された層と、第２表示パネル２００のブラックマトリクス２０２ｂが配置された層と、の間の距離をｄ’とすると、図１３に示す幾何学的関係により、
視差対策幅Ｘ＝距離ｄ’×ｔａｎθ’‥（２）
となる。ここで、図１３に示す幾何学的関係により、
ｎ×ｓｉｎθ’＝１×ｓｉｎθ  ‥（３）
を満たす。
【００５４】
最も広視野角と言われている横電界（ＩＰＳ）方式の液晶表示パネルであっても、観察者が６０度傾斜した方向から表示画面を観察した際に表示画像の端部の表示異常が起こらなければ、６０度以上傾斜した方向から観察した際に表示異常があっても違和感がないことが、本件発明者らの実験によって知見されている。したがって、角度θを６０度とすることが、必要な視差対策幅Ｘを求める上で好ましい。角度θを６０度として、式（３）からｔａｎθ’を算出すると、
【数３】
2020154319.tif 000005
【００５５】
が得られる。式（４）を式（２）に代入して
【数４】
2020154319.tif 000006
が得られる。ここで、液晶層１０３の厚みは他の層に比べて無視できるほど狭いため無視することができる。したがって、距離ｄ’は、第１表示パネル１００を構成する、第２表示パネル２００側のガラス基板１０１ａ（すなわち、第１表示パネル１００のＴＦＴ基板１０１を構成するガラス基板１０１ａ）における観察者側の面から、第２表示パネル２００を構成する、第１表示パネル１００側のガラス基板２０２ｃ（すなわち、第２表示パネル２００のＣＦ基板２０２を構成するガラス基板２０２ｃ）における観察者側とは反対側の面までの距離ｄとみなすことができる（図１３参照）。したがって、距離ｄ’＝距離ｄを式（５）に代入すると、
【数５】
2020154319.tif 000007
が得られる。上述のように、拡張表示領域２１０ｃの幅ｔ１が視差対策幅Ｘ以上であれば、端部の表示不良を防ぐことができることから、式（６）より、
【数６】
2020154319.tif 000008
を満たす場合、端部の表示不良を有効に防ぐことができるといえる。
【００５６】
表１は、観察者の観察角度θを６０度とし、各層の厚みを変化させて必要な視差対策幅Ｘをシミュレーションした結果を示す表である。各層の屈折率として、各層の典型的な屈折率の値を採用し、具体的には表１に示す値とした。
【００５７】
【表１】
2020154319.tif 000009
【００５８】
各層の屈折率を考慮して必要な視差対策幅Ｘ’を計算すると、表１に示す通りサンプル１、２でそれぞれ２．０３ｍｍ、１．３３ｍｍが得られた。一方、式（６）から必要な視差対策幅Ｘを計算すると、サンプル１、２でそれぞれ２．０５ｍｍ、１．３４ｍｍが得られる。１画素の大きさは、最少で０．１３ｍｍ程度であるから、実際の計算から得られる視差対策幅Ｘ’と、式（６）から得られる視差対策幅Ｘと、の差は、画素の大きさと比較して十分受け入れられる値であり、視差対策幅Ｘとして式（６）を利用することができることがわかる。
【００５９】
次に、液晶表示装置１０の駆動方法について説明する。液晶表示装置１０では、第１表示パネル１００の画素１１４の個数と、第２表示パネル２００の画素２１４の個数が互いに異なり、これに伴って信号線（データ線、ゲート線）の数も互いに異なる。このため、第１表示パネル１００及び第２表示パネル２００では、各信号線を駆動するタイミングを調整する必要がある。
【００６０】
図１３は、第１表示パネル１００のゲート線１１２を駆動するタイミングと、第２表示パネル２００のゲート線２１２を駆動するタイミングとを示すタイミングチャートである。ここでは、第１表示パネル１００には、ｎ本のゲート線１１２が設けられ、第２表示パネル２００には、ｍ本のゲート線２１２が設けられていると仮定する。また、第１表示パネル１００に配置される画素１１４及び信号線の数と、第２表示パネル２００の対向表示領域２１０ｄに配置される画素２１４及び信号線の数とは互いに等しいと仮定する。さらに、図８及び図９に示すように、第２表示パネル２００には、ゲート線２１２が、第１表示パネル１００より上下方向に１０本ずつ多く配置されていると仮定する。図１３において、ＧＬ１（１）は、第１表示パネル１００の１行目のゲート線１１２に供給されるゲート信号を示し、ＧＬ１（ｎ）は、最終のｎ行目のゲート線１１２に供給されるゲート信号を示している。またＧＬ２（１）は、第２表示パネル２００の１行目のゲート線２１２に供給されるゲート信号を示し、ＧＬ２（ｍ）は、最終のｍ行目のゲート線２１２に供給されるゲート信号を示している。またＧＬ２（１）〜ＧＬ２（１０），ＧＬ２（ｍ−９）〜ＧＬ２（ｍ）は、拡張表示領域２１０ｃに配置されるゲート線２１２に供給されるゲート信号を示している。よって、液晶表示装置１０を平面的に見ると、第１表示パネル１００の１行目からｎ行目のゲート線１１２と、第２表示パネル２００の１１行目から（ｍ−１０）行目のゲート線２１２とは互いに重なるように配置されている。
【００６１】
上記構成において、第１フレームＦ１では、先ず、第２表示パネル２００において、１行目から１０行目までのゲート線２１２に順次ゲート信号ＧＬ２（１）〜ＧＬ２（１０）が供給され、例えば図１１に示す画像情報に対応するデータ電圧が画素電極２１５に供給される。続いて、第１表示パネル１００において、１行目からｎ行目までのゲート線１１２に順次ゲート信号ＧＬ１（１）〜ＧＬ１（ｎ）が供給されると同時に、第２表示パネル２００において、１１行目から（ｍ−１０）行目までのゲート線２１２に順次ゲート信号ＧＬ２（１１）〜ＧＬ２（ｍ−１０）が供給され、例えば図１０に示す画像情報に対応するデータ電圧が画素電極１１５に供給されると同時に、図１１に示す画像情報に対応するデータ電圧が画素電極２１５に供給される。続いて、第２表示パネル２００において、（ｍ−９）行目からｍ行目までのゲート線２１２に順次ゲート信号ＧＬ２（ｍ−９）〜ＧＬ２（ｍ）が供給され、例えば図１１に示す画像情報に対応するデータ電圧が画素電極２１５に供給される。このように、第１フレームＦ１のうち期間ｔ１１，ｔ１３では、第２表示パネル２００の拡張表示領域２１０ｃにおいて画像表示を行い、期間ｔ１２では、第１表示パネル１００の第１画像表示領域１１０ａと第２表示パネル２００の対向表示領域２１０ｄとにおいて画像表示を行う。第２フレームＦ２では、上記第１フレームＦ１の動作と同じ動作を行う。以降のフレームにおいても同様の動作を行う。
【００６２】
液晶表示装置１０は、上記のようにして表示動作を行う。尚、表示動作の方法は上記方法に限定されない。
【００６３】
液晶表示装置１０の構成は上記構成に限定されない。例えば、第２表示パネル２００の拡張表示領域２１０ｃの構成は様々な形態を適用することができる。以下、拡張表示領域２１０ｃの他の構成例について説明する。
【００６４】
上述したように、拡張表示領域２１０ｃに配置される複数の画素２１４のうち一部の画素には、互いに同じ画像が表示される。例えば、図１１において、１行目における行方向に並ぶ１１個の画素２１４には、「Ｃ１１」の階調に応じた画像が表示され、１２行目における行方向に並ぶ１０個の画素２１４には、「Ｃ２１」の階調に応じた画像が表示される。そこで、図１４及び図１５に示すように、同じ画像が表示される複数の画素に対応する信号線（データ線２１１及びゲート線２１２）を同時に駆動する構成としてもよい。図１４は、変形例１に係る第２表示パネル２００の構成を示す平面図であり、図１６は、変形例２に係る第２表示パネル２００の構成を示す平面図である。
【００６５】
図１４に示す第２表示パネル２００では、１列目から７列目までの７本のデータ線２１１が１つの出力端子ＳＤ２−７に接続されており、１行目から７行目までの７本のゲート線２１２が１つの出力端子ＧＤ２−７に接続されている。すなわち、１つの出力端子ＳＤ２−７に接続された信号線が７本のデータ線２１１に分岐され、１つの出力端子ＧＤ２−７に接続された信号線が７本のゲート線２１２に分岐されている。尚、図１４では、便宜上、出力端子を、図９に示す出力端子の位置に対応する番号を付して表している。以降の図においても同様である。変形例１に係る表示パネル２００においても、図１５に示すように、上述の表示パネル２００（図１１参照）と同様に画像を表示する。
【００６６】
図１６に示す第２表示パネル２００では、１列目から４列目までの４本のデータ線２１１が１つの出力端子ＳＤ２−７に接続されており、５列目から７列目までの３本のデータ線２１１が１つの出力端子ＳＤ２−８に接続されており、８列目から９列目までの２本のデータ線２１１が１つの出力端子ＳＤ２−９に接続されており、１０列目のデータ線２１
１が１つの出力端子ＳＤ−１０に接続されている。同様に、１行目から４行目までの４本のゲート線２１２が１つの出力端子ＧＤ２−７に接続されており、５行目から７行目までの３本のゲート線２１２が１つの出力端子ＧＤ２−８に接続されており、８行目から９行目までの２本のゲート線２１２が１つの出力端子ＧＤ２−９に接続されており、１０行目のゲート線２１２が１つの出力端子ＧＤ−１０に接続されている。すなわち、１つの出力端子ＳＤ−７に接続された信号線が４本のデータ線２１１に分岐され、１つの出力端子ＳＤ−８に接続された信号線が３本のデータ線２１１に分岐され、１つの出力端子ＳＤ−９に接続された信号線が２本のデータ線２１１に分岐されている。同様に、１つの出力端子ＧＤ−７に接続された信号線が４本のゲート線２１２に分岐され、１つの出力端子ＧＤ−８に接続された信号線が３本のゲート線２１２に分岐され、１つの出力端子ＧＤ−９に接続された信号線が２本のゲート線２１２に分岐されている。このように、表示パネル２００は、対向表示領域２１０ｄ（第１画像表示領域１１０ａ）に近づく程、データ線２１１の分岐本数及びゲート線２１２の分岐本数が少なくなるように構成されている。
【００６７】
図９、図１４及び図１６に示す上記各構成では複数の画素２１４それぞれが、互いに同じ大きさを有しているが、これに限定されない。例えば、拡張表示領域２１０ｃに配置される複数の画素２１４のうち一部の画素２１４が他の画素２１４と異なる大きさを有していても良い。図１７は、変形例３に係る第２表示パネル２００の構成を示す平面図である。図１７に示す第２表示パネル２００では、拡張表示領域２１０ｃに配置される複数の画素２１４は、対向表示領域２１０ｄ（第１画像表示領域１１０ａ）から遠くなる程、画素２１４の大きさが大きくなるように構成されている。例えば、対向表示領域２１０ｄに配置される複数の画素２１４の行方向のピッチをｓ１とした場合、拡張表示領域２１０ｃに配置される複数の画素２１４は、４列目の画素２１４のピッチがｓ１、３列目の画素２１４のピッチがｓ１×２、２列目の画素２１４のピッチがｓ１×３、１列目の画素２１４のピッチがｓ１×４となるように配置されている。すなわち、対向表示領域２１０ｄに配置される画素２１４と比較して、４列目の画素２１４は行方向に１倍、３列目の画素２１４は行方向に２倍、２列目の画素２１４は行方向に３倍、１列目の画素２１４は行方向に４倍の大きさを有している。同様に、例えば、対向表示領域２１０ｄに配置される複数の画素２１４の列方向のピッチをｇ１とした場合、拡張表示領域２１０ｃに配置される複数の画素２１４は、４行目の画素２１４のピッチがｇ１、３行目の画素２１４のピッチがｇ１×２、２行目の画素２１４のピッチがｇ１×３、１行目の画素２１４のピッチがｇ１×４となるように配置されている。すなわち、対向表示領域２１０ｄに配置される画素２１４と比較して、４行目の画素２１４は列方向に１倍、３行目の画素２１４は列方向に２倍、２行目の画素２１４は列方向に３倍、１行目の画素２１４は列方向に４倍の大きさを有している。変形例３に係る第２表示パネル２００においても、図１８に示すように、上述の各第２表示パネル２００と同様に、画像を表示する。
【００６８】
上記変形例１〜３に係る第２表示パネル２００によれば、図９に示す構成と比較して、各ドライバの出力数を減らすことができる。また、変形例１及び２に係る第２表示パネル２００によれば、複数のゲート線２１２を同時に駆動（選択）することができるため、図９及び図１３に示す構成と比較して、拡張表示領域２１０ｃの表示時間（駆動時間）を短縮することができる。尚、上記のとおり、拡張表示領域２１０ｃに配置される画素２１４は、対向表示領域２１０ｄに配置される画素２１４の構成と異なる構成とすることができるが、対向表示領域２１０ｄに近い程、対向表示領域２１０ｄの画素２１４に対応する条件（信号線の分岐本数や、画素の大きさ）に近くなるように構成されていることが好ましい。
【００６９】
次に、画像処理部３００の具体的な構成について説明する。図１９は、画像処理部３００の具体的な構成を示すブロック図である。画像処理部３００は、第１遅延部３１１と、第１ガンマ処理部３１２と、第２遅延部３１３と、第１画像出力部３１４と、白黒画像デ
ータ生成部３２１と、第２ガンマ処理部３２２と、最大値フィルタ処理部３２３と、平均値フィルタ処理部３２４と、拡張表示画像データ生成部３２５と、第２画像出力部３２６とを含んでいる。
【００７０】
画像処理部３００は、外部のシステムから送信された入力映像信号Ｄａｔａを受信すると、入力映像信号Ｄａｔａを第１遅延部３１１及び白黒画像データ生成部３２１に転送する。尚、入力映像信号Ｄａｔａは、例えば輝度情報（階調情報）と色情報を含んでいる。白黒画像データ生成部３２１は、入力映像信号Ｄａｔａに基づいて白黒画像に対応する白黒画像データを生成する。第２ガンマ処理部３２２は、白黒画像データに基づいて第２表示パネル２００で表示する白黒画像のガンマ処理を行う。例えば、第２ガンマ処理部３２２は、ガンマ値（第２ガンマ値）を０．３に設定する。
【００７１】
第１ガンマ処理部３１２は、第１遅延部３１１から出力された入力映像信号Ｄａｔａと、第２ガンマ処理部３２２から出力された第２ガンマ値（γ＝０．３）とに基づいて、第１表示パネル１００で表示するカラー画像のガンマ処理を行う。例えば、第１ガンマ処理部３１２は、白黒画像とカラー画像とを合成した表示画像の合成ガンマ値が２．２になるように、カラー画像のガンマ値（第１ガンマ値）を１．９に設定する。第１ガンマ処理部３１２は、ガンマ処理したカラー画像データ（第１画像データ）を第２遅延部３１３に出力する。
【００７２】
最大値フィルタ処理部３２３は、第２ガンマ処理部３２２から出力された白黒画像データに基づいて最大値フィルタ処理を実行する。最大値フィルタ処理部３２３は、周知の最大値フィルタ処理を適用することができる。例えば、最大値フィルタ処理部３２３は、１１画素×１１画素の円形領域をフィルタサイズに設定して、最大値フィルタ処理を実行する。これにより、例えば高輝度領域（白色領域）を拡大することができる。
【００７３】
平均値フィルタ処理部３２４は、最大値フィルタ処理部３２３から出力された白黒画像データに基づいて平均値フィルタ処理を実行する。平均値フィルタ処理部３２４は、周知の平均値フィルタ処理を適用することができる。例えば、平均値フィルタ処理部３２４は、１１画素×１１画素の円形領域をフィルタサイズに設定して、平均値フィルタ処理を実行する。これにより、例えば高周波成分が削除されるため輝度変化を滑らかにすることができる。
【００７４】
拡張表示画像データ生成部３２５は、平均値フィルタ処理部３２４から出力された白黒画像データに基づいて、拡張表示領域２１０ｃ（図９等参照）を含む第２画像表示領域２１０ａに対応する白黒画像の拡張表示画像データ（第２画像データ）を生成する。例えば、拡張表示画像データ生成部３２５は、図１２に示す方法により規定された拡張表示領域２１０ｃにおける画素２１４の個数等に基づいて第２画像データを生成する。拡張表示画像データ生成部３２５は、生成した第２画像データを第２画像出力部３２６に出力する。
【００７５】
第２遅延部３１３は、第１ガンマ処理部３１２から出力された第１画像データを、拡張表示画像データ生成部３２５の出力タイミングに合わせて、第１画像出力部３１４に出力する。
【００７６】
第１画像出力部３１４は、第１画像データＤＡＴ１を第１タイミングコントローラ１４０に出力し、第２画像出力部３２６は、第２画像データＤＡＴ２を第２タイミングコントローラ２４０に出力する。また画像処理部３００は、第１タイミングコントローラ１４０に第１制御信号ＣＳ１を出力し、第２タイミングコントローラ２４０に第２制御信号ＣＳ２を出力する（図２及び図３）。
【００７７】
画像処理部３００は上記構成に限定されない。例えば、拡張表示画像データ生成部３２５は、第２ガンマ処理部３２２と最大値フィルタ処理部３２３との間に設けられていても良い。すなわち、画像処理部３００は、拡張表示画像データに対して、最大値フィルタ処理及び平均値フィルタ処理を実行しても良い。
【００７８】
また、上述した実施の形態では、第２表示パネル２００が白黒画像を表示し、ブラックマトリクス２０２を含む例を示したが、第２表示パネル２００のブラックマトリクス２０２ｂは、必ずしも設けられていなくてもよい。
【００７９】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【図１】
2020154319.tif 000012
【図２】
2020154319.tif 000013
【図３】
2020154319.tif 000014
【図４】
2020154319.tif 000015
【図５】
2020154319.tif 000016
【図６】
2020154319.tif 000017
【図７】
2020154319.tif 000018
【図８】
2020154319.tif 000019
【図９】
2020154319.tif 000020
【図１０】
2020154319.tif 000021
【図１１】
2020154319.tif 000022
【図１２】
2020154319.tif 000023
【図１３】
2020154319.tif 000024
【図１４】
2020154319.tif 000025
【図１５】
2020154319.tif 000026
【図１６】
2020154319.tif 000027
【図１７】
2020154319.tif 000028
【図１８】
2020154319.tif 000029
【図１９】
2020154319.tif 000030
【図２０】
2020154319.tif 000031